(57)【要約】【課題】蓄電手段を有さずに照明器具の照明制御が可能で、しかも照明器具のＩＤ情報を確実に設定できるリモコン装置を提供することである。【解決手段】可視光受信部１６は、周囲の光を受信して発電する太陽電池１３の出力電圧が所定値以上のとき動作し、照明器具１１の可視光に重畳されたＩＤ情報を受信し、演算制御部１４は、設定モードであるときに可視光受信部１６で受信した照明器具１１のＩＤ情報を記憶部１５に記憶するとともに、ボタン１８は押圧操作されたときに発電して、照明器具１１への点消灯指令信号や調光制御指令信号を発生し、送受信部１７を介して照明器具１１に送信する。【選択図】  図１
2011204507.tif 000002
【特許請求の範囲】
【請求項１】
周囲の光により発電する太陽電池と；
前記太陽電池の出力電圧が所定値以上となると動作し照明器具の可視光に重畳されたＩＤ情報を受信する可視光受信部と；
前記可視光受信部で受信した照明器具のＩＤ情報を記憶する記憶部と；
前記照明器具の制御信号を無線で送信する送信部と；
押圧操作されたときにこの押圧操作によって発電し、この発電した電力を用いて前記記憶部に記憶した照明器具のＩＤ情報と前記制御信号とを前記送信部を介して送信させる操作部と；
を備えたことを特徴とするリモコン装置。
【請求項２】
前記記憶部にＩＤ情報を記憶したことを報知する報知手段を有することを特徴とする請求項１記載のリモコン装置。
【請求項３】
前記記憶部に前記ＩＤ情報を記憶したときは、前記照明器具にその旨の通知信号を送信することを特徴とする請求項１または２のいずれか一記載のリモコン装置。
【発明の詳細な説明】
【技術分野】
【０００１】
本発明は、照明器具の点灯消灯や調光制御を行うとともに照明器具のＩＤ情報を受信して設定するリモコン装置に関する。
【背景技術】
【０００２】
照明器具のリモコン装置は、照明器具の点灯消灯や調光制御などを遠隔で行うものであり、リモコン装置は操作対象の照明器具と対応関係を持たせるようにしている。例えば、受信機能を有する照明器具とリモコン装置にそれぞれ送受信信号のチャンネルをディップスイッチ等の設定手段で設定しておき、照明器具の設定チャンネルとリモコン装置の設定チャンネルが一致する場合にはリモコン装置によって操作対象の照明器具を操作できるようにしている。また、リモコン装置の電源としては乾電池などが用いられている。
【０００３】
リモコン装置として、電源供給手段に太陽電池と蓄電手段とを備え、通常生活レベルの照度でほぼ一日中太陽電池が電力発電を行い、この電力を蓄電手段に貯え、実際の器具の動作に必要な僅かな時間だけ、貯えられた電力を放出することで、電池の交換を不要としたものがある（例えば、特許文献１参照）。
【先行技術文献】
【特許文献】
【０００４】
【特許文献１】特開平６−３５１０６４号公報
【発明の概要】
【発明が解決しようとする課題】
【０００５】
しかし、特許文献１のものでは、太陽電池と蓄電手段とを備えているので、実際の器具の動作に必要な僅かな時間だけ貯えられた電力を放出することで電池の交換を不要とできるが、蓄電手段が必要となりリモコン装置が大形化するとともにコスト高となる。
【０００６】
一方、操作対象の器具が照明器具である場合は、リモコン装置の電源として太陽電池だけを用いたものであっても、照明器具が点灯状態である場合には、太陽電池で発電できるので蓄電手段は必要としないが、照明器具が消灯状態である場合には電力が不足して点灯指令を出力することができないので、蓄電手段を省略する場合には、その場合の電力を確保できるようにしておくことが要請される。
【０００７】
また、操作対象の器具が照明器具である場合は、通常、操作対象が複数となるので、操作対象の照明器具を識別するために、そのＩＤ情報をリモコン装置に設定しておく必要がある。これは、リモコン装置から無線信号で照明器具を操作する場合には、無線信号には方向性がないので、無線信号の受信エリア内において複数の照明器具がある場合には、操作対象の照明器具を識別できないからである。
【０００８】
本発明の目的は、蓄電手段を有さずに照明器具の照明制御が可能で、しかも照明器具のＩＤ情報を確実に設定できるリモコン装置を提供することである。
【課題を解決するための手段】
【０００９】
請求項１の発明に係るリモコン装置は、周囲の光により発電する太陽電池と；前記太陽電池の出力電圧が所定値以上となると動作し照明器具の可視光に重畳されたＩＤ情報を受信する可視光受信部と；前記可視光受信部で受信した照明器具のＩＤ情報を記憶する記憶部と；前記照明器具の制御信号を無線で送信する送信部と；押圧操作されたときにこの押圧操作によって発電し、この発電した電力を用いて前記記憶部に記憶した照明器具のＩＤ情報と前記制御信号とを前記送信部を介して送信させる操作部と；を備えたことを特徴とする。
【００１０】
本発明及び以下の発明において、特に指定しない限り用語の意味及び定義は以下による。
【００１１】
送信部から送信される無線信号は、例えば、照明器具の点消灯指令信号や調光制御指令信号であり、例えば赤外線信号や特定の周波数の電磁波信号である。  
「押圧操作によって発電」とは、例えば、ボタンの機械的な押圧操作に連動して導体を磁界中で移動させて発電したり、圧電素子等で発電したり、機械的な押圧操作によって発電することができる全ての構成を許容する。
【００１２】
太陽電池とは光のエネルギーを電気エネルギーに変換する装置であり、照明器具の周囲の光を受けて発電する。通常は、照明器具が点灯した状態での可視光を受信して発電するが、外光によって発電してもよい。
【００１３】
「太陽電池の出力電圧が所定値以上のとき」とは、少なくとも可視光受信部が動作可能な電圧をいうが、光の受信状態等に起因して発電状態が不安定になっても十分に動作を継続できるように可視光受信部が動作可能な電圧よりも若干高い電圧に設定しておくことが好ましい。なお、照明器具が点灯した状態で発電したときの出力電圧を満たす電圧であっても良く、この場合には、照明器具が点灯した状態で可視光受信部は動作可能である。可視光受信部とは、照明器具の可視光に重畳されたＩＤ情報を受信するものである。
【００１４】
請求項２の発明に係るリモコン装置は、請求項１の発明において、前記記憶部にＩＤ情報を記憶したことを報知する報知手段を有することを特徴とする。
【００１５】
報知手段は、例えば、ランプやＬＥＤなどの表示手段、あるいは音出力手段、振動発生手段などであり、操作者に対して記憶部にＩＤ情報を記憶したことを報知するものである。
【００１６】
請求項３の発明に係るリモコン装置は、請求項１または２の発明において、前記記憶部に前記ＩＤ情報を記憶したときは、前記照明器具にその旨の通知信号を送信することを特徴とする。
【００１７】
本発明は、記憶部にＩＤ情報を記憶したことを照明器具に通知し、例えば、照明器具の点滅点灯などで操作者に報知するようにしたものである。
【発明の効果】
【００１８】
請求項１の発明によれば、太陽電池の出力電圧が所定値以上であるときに可視光受信部で受信した照明器具のＩＤ情報を記憶部に記憶し、操作部を押圧操作したときにこの押圧操作によって発電して、この発電した電力を用いて制御信号を照明器具に送信するので、蓄電手段を有していなくても照明器具のＩＤ情報を設定でき照明器具を制御することができる。
【００１９】
請求項２の発明によれば、記憶部にＩＤ情報を記憶したときは、その旨を報知するので、操作者はＩＤ情報が設定されたことを容易に確認できる。
【００２０】
請求項３の発明によれば、記憶部にＩＤ情報を記憶したときは照明器具にその旨の通知信号を送信し、例えば、そのときに照明器具が点滅点灯することで、操作者はＩＤ情報が設定されたことを確認できる。
【図面の簡単な説明】
【００２１】
【図１】本発明の実施の形態に係るリモコン装置の実施例１の説明図。
【図２】本発明の実施例１のリモコン装置に照明器具のＩＤ情報を設定する場合の操作内容を示すフローチャート。
【図３】本発明の実施の形態に係るリモコン装置の実施例２の構成図。
【図４】本発明の実施例２のリモコン装置に照明器具のＩＤ情報を設定する場合の操作内容を示すフローチャート。
【発明を実施するための形態】
【００２２】
以下、本発明の実施の形態を説明する。図１は本発明の実施の形態に係るリモコン装置の実施例１の説明図であり、図１（ａ）は照明器具と無線信号にて送受信を行っている状態を示す斜視図、図１（ｂ）は本発明の実施の形態に係るリモコン装置の実施例１の構成図である。
【００２３】
図１（ａ）に示すように、照明器具１１はリモコン装置１２から送信された無線信号を受信する。照明器具１１は図示省略の受信部を有し、リモコン１２からの無線信号を受信し、無線信号の受信内容に応じて、照明器具を点灯消灯あるいは調光制御を行う。また、照明器具１１は、自己を識別するための固有のＩＤ情報を有し、その点灯時の可視光にそのＩＤ情報を重畳して送信している。
【００２４】
図１（ｂ）に示すように、リモコン装置１２は、周囲の光を受信して発電する太陽電池１３を有し、太陽電池１３で発電した電力は、演算制御部１４、記憶部１５、可視光受信部１６への電源として供給される。また、リモコン装置１２には操作部としてのボタン１８が設けられている。
【００２５】
ボタン１８は発電機能を有しており、例えば、ボタンの機械的な押圧操作に連動して導体を磁界中で移動させて発電する機構を有している。このボタンの押圧操作により発電した電力を用いて、照明器具１１への点消灯指令信号や調光制御指令信号を発生し、送信部１７を動作させて送信部１７から無線信号を送信する。
【００２６】
このように、ボタン１８に発電機能を持たせ、送信部１７から点灯指令を出力できる程度の電力を発電できるようにしているので、操作対象の照明器具１１が消灯していたとしても送信部１７から制御信号を送信することができる。なお、ボタン１８で発電した電力が不足する場合には太陽電池１３で発電した電力を使用してもよい。  
記憶部１５に既に操作対象の照明器具１１のＩＤ情報が記憶されており、照明器具１１の点灯消灯を行う場合について説明する。
【００２７】
ボタン１８は、押した状態と離した状態の２つの位置がある押しボタンで構成されている。
【００２８】
演算制御部１４は、ボタン１８が押された状態と押されていない状態を判別可能に構成されている。すなわち、ボタン１８を押した状態を維持すると演算制御部１４は長押しされていると認識することができる。
【００２９】
そして、ボタン１８を押した後に所定時間内に離すと演算制御部１４は操作モードと認識し、記憶部に記憶しているＩＤ情報とともに照明器具を制御するための制御信号を送信する。ここで、操作モードとは照明器具の点消灯や調光制御を行うモードである。例えば、制御信号が点消灯信号である場合にはボタン１８を所定時間内に押圧操作したときは照明器具１１が点灯され、ボタン１８を再度所定時間内に押圧操作したときは照明器具が消灯される。このように、ボタン１８が押圧操作されて演算制御部１４が操作モードであると認識すると点灯操作と消灯操作は交互に繰り返される。
【００３０】
次に、記憶部１５に操作対象の照明器具１１のＩＤ情報が記憶されていない状態で操作対象の照明器具１１のＩＤ情報を受信して記憶部１５に記憶させる場合、あるいは記憶部１５に既に操作対象の照明器具１１のＩＤ情報が記憶されているが操作対象の照明器具１１のＩＤ情報を変更する場合について説明する。
【００３１】
演算制御部１４は、太陽電池１３の出力電圧が所定値以上であるかどうかを判定し、太陽電池１３の出力電圧が所定値以上であるときは可視光受信部１６を動作させる。これにより、可視光受信部１６は、太陽電池１３の出力電圧が所定値以上のとき動作し、照明器具１１の可視光に重畳されたＩＤ情報を受信する。
【００３２】
この状態で、ボタン１８が押圧操作されると演算制御部１４は、この押圧操作によって設定モードになるか否かを判断する。すなわち、上述した操作モード時の所定期間よりも長い期間長押しされている場合には設定モードと判断し、可視光受信部１６で受信した照明器具１１のＩＤ情報を記憶部１５に記憶する。ここで、設定モードとは、照明器具を識別するＩＤ情報の入力操作を行うモードである。
【００３３】
このように、演算制御部１４は、操作モードであるか設定モードであるかをボタン１８の操作内容に基づいて判定するとともに、同操作に基づいて各モードの制御を行う。このため、操作者は操作時と設定時においてボタン１８の押圧操作の方法を変えるだけで容易に照明制御作業と設定作業を行うことができる。また、各モードへ移行したことを確認してから操作を行う必要がない。
【００３４】
なお、演算制御部１４が設定モードであると認識する方法としてはボタン１８を連続してオン状態にする操作（連続押圧操作）の他に、ボタン１８を短時間中に複数回押圧操作（複数連打操作）してもよいし、操作モードの専用ボタン及び設定モードの専用ボタンを用意し、操作モードの専用ボタンが操作されたときに操作モードと判定するようにしてもよい。
【００３５】
送信部１７は、リモコン装置１２から照明器具１１へ無線信号を送信するものであり、リモコン装置１２から送信部１７を介して照明器具１１に点灯消灯指令あるいは調光制御指令を送信する。
【００３６】
図２は、実施例１のリモコン装置１２に照明器具１１のＩＤ情報を設定する場合の操作内容を示すフローチャートである。まず、設定対象となる照明器具１１を点灯する（Ｓ１）。これは、例えば壁スイッチなどの監視端末器で点灯する。リモコン装置１２を設定対象の照明器具１１の下に持ってくる（Ｓ２）。これにて、太陽電池１３により発電した電力がリモコン１２を構成する各要素、すなわち、演算制御部１４、記憶部１５、可視光受信部１６に電源として供給される。
【００３７】
太陽電池１３の出力電圧が所定値以上の場合には、演算制御部１４は可視光受信部１６を動作させる。これより、可視光受信部１６は可視光に重畳したＩＤ情報を受信する（Ｓ３）。
【００３８】
次に、ボタン１８を設定モードで操作する（Ｓ４）。演算制御部１４は、ボタン１８が設定モードで操作されたことを認識し、可視光受信部１６で受信した照明器具のＩＤ情報を記憶部１５に記憶する（Ｓ５）。
【００３９】
このように、太陽電池１３の出力電圧が所定値以上で、かつボタン１８が設定モードで操作されたときに可視光受信部１６で受信した照明器具１１のＩＤ情報を記憶部１５に記憶する。これにより、リモコン装置１２に照明器具１１のＩＤ情報が設定される。従って、太陽電池１３を電源とした場合であっても照明器具１１のＩＤ情報を確実に設定できる。
【００４０】
そして、記憶部１５に照明器具１１のＩＤ情報を記憶した後は、ボタン１８をオンオフ操作することで、記憶部１５に記憶したＩＤ情報とともに点消灯指令を送信部１７から送信することになる。これにより、ＩＤ情報に対応する照明器具１１がその点消灯信号を受信して点消灯することになる。
【００４１】
次に、本発明の実施の形態に係るリモコン装置の実施例２を説明する。図３は本発明の実施の形態に係るリモコン装置の実施例２の構成図である。この実施例２は、図１に示した実施例１に対し、記憶装置に記憶したことを報知する報知手段１９を追加して設けたものである。
【００４２】
報知手段１９は、例えばランプやＬＥＤなどの表示手段で構成され、記憶部１５にＩＤ情報が記憶されたときは所定時間だけ点灯する。すなわち、演算制御部１４は、記憶部１５にＩＤ情報が記憶されたことを確認したときは、報知手段１９を所定時間だけ起動し、その旨を操作者に報知する。報知手段１９としては、表示手段だけでなく音出力手段や振動発生手段などを用いてもよい。
【００４３】
図４は、実施例２のリモコン装置１２に照明器具１１のＩＤ情報を設定する場合の操作内容を示すフローチャートである。図２に示した実施例１のリモコン装置１２の場合にステップＳ６が追加されている。設定対象となる照明器具１１を点灯し（Ｓ１）、リモコン装置１２を設定対象の照明器具１１の下に持ってくる（Ｓ２）。これより、可視光受信部１６は可視光に重畳したＩＤ情報を受信する（Ｓ３）。次に、ボタン１８を設定モードで操作すると（Ｓ４）、演算制御部１４は、ボタン１８が設定モードであるので、可視光受信部１６で受信した照明器具のＩＤ情報を記憶部１５に記憶する（Ｓ５）。そして、演算制御部１４は、記憶部１５にＩＤ情報が記憶されると、報知手段１９を所定時間だけ起動しその旨を操作者に報知する（Ｓ６）。これにより、操作者はＩＤ情報が設定されたことを容易に確認できる。
【００４４】
ここで、報知手段１９に代えて、または報知手段１９とともに記憶部１５にＩＤ情報を記憶したことを照明器具１１に通知するようにしてもよい。すなわち、演算制御部１４は、記憶部１５にＩＤ情報を記憶したことを確認すると、送受信部１７を介して照明器具１１にその旨を通知する。この通知としては、例えば、送信部１７を介して照明器具１１のＩＤ情報と点滅点灯指令とを送信する。これにより、そのＩＤ情報の照明器具１１は点滅点灯する。これにより、操作者に対して記憶部１５にＩＤ情報を記憶したことを報知できる。
【符号の説明】
【００４５】
１１…照明器具、１２…リモコン装置、１３…太陽電池、１４……演算制御部、１５…記憶部、１６…可視光受信部、１７…送信部、１８…操作部としてのボタン、１９…報知手段
【図１】
2011204507.tif 000003
【図２】
2011204507.tif 000004
【図３】
2011204507.tif 000005
【図４】
2011204507.tif 000006